(57)【要約】      （修正有）【課題】簡単に身入りの良い牡蠣を養殖可能な牡蠣養殖用ホルダーを提供する。【解決手段】牡蠣養殖用ホルダー２０は、線材を中央部２１で折り曲げると共に、該線材の両端部２２、２２を対向する方向に折り曲げて構成してある。そのうえで中央部２１を折り曲げフック部２４を形成してある。【選択図】図３
0003227019.tif 000002
【実用新案登録請求の範囲】
【請求項１】
弾性を備えた金属製或いは弾性を備えた樹脂製の線材を中央部で折り曲げたこと、
該線材の両端部を対向する方向に折り曲げたこと、
を特徴とする牡蠣養殖用ホルダー。
【請求項２】
中央部を折り曲げてフック部を形成した請求項１に記載の牡蠣養殖用ホルダー。
【請求項３】
弾性を備えた金属製或いは弾性を備えた樹脂製の線材を円弧状に、且つ、両端部が対抗するよう形成した牡蠣養殖用ホルダー。
【考案の詳細な説明】
【技術分野】
【０００１】
本考案はシングルシード式牡蠣養殖法に適した、牡蠣養殖用ホルダーに関する。
【背景技術】
【０００２】
従来の日本での牡蠣養殖は、カルチと呼ばれるホタテや牡蠣の貝殻を海に垂らし、カルチに付着した種牡蠣をそのまま育てる方法が一般的であった。これは日本では剥き身での販売が主であり、牡蠣の見た目や大きさのバラつきは問題になることは稀であったことによる。
【０００３】
しかし、昨今オイスターバーなどで牡蠣を生食することが多く、牡蠣は殻付きで提供される場合も多いことから、見た目の美しさも要求される事態となっている。
【０００４】
そこで、種牡蠣を付着対象のカルチ等から剥がし、大きさごとに選別し、専用の養殖カゴの中で養殖する、いわゆるシングルシード式牡蠣養殖法が広く行われ始めている。かかる方法によれば、形と大きさが整ったブランド牡蠣が生産可能であるからである。
【０００５】
このシングルシード式養殖法はカルチでの養殖に比べると、餌となるプランクトンがむらなく牡蠣に回るため、牡蠣の生育が安定し、歩留まりが良いという利点もある。
【０００６】
特許文献１にはシングルシード式牡蠣養殖法に用いられる養殖かごが開示されている。該文献に記載される牡蠣養殖カゴは、上端及び下端の一方あるいは双方に開閉自在な開口部を備えカゴ体と、カゴ体の中央部に取付けられる浮揚体とにより成るものである。
【先行技術文献】
【特許文献】
【０００７】
【特許文献１】登録実用新案公報第３１９８４１４号
【考案の開示】
【考案が解決しようとする課題】
【０００８】
シングルシード方式は、牡蠣を入れたカゴのメンテナンスなどで一般的にカルチ養殖よりも手間がかかる。具体的には養殖かごの網目に海藻や貝などが付着すると、海水がかごの中を流れにくくなり、その結果プランクトンがカゴの中に流入しづらく、養殖牡蠣の成長が悪くなるなることに繋がる。そこで網目に付着した海藻や貝をはぎ取ったり、あるいは別の養殖かごに牡蠣を移す作業が必要となるのである。
【０００９】
また、牡蠣はセメント質を出しながら成長するが、養殖かごの中に複数の牡蠣を入れておくと、隣接する牡蠣がそれぞれが出すセメント質によって一体化してしまい、呼吸困難になり成長が阻害されたり、最悪死んでしまうこともある。
【００１０】
シングルシード方式の牡蠣養殖法としては、専用の養殖かごに入れるのではなく、セメント系接着剤を用いてロープの一箇所に牡蠣を２〜３個固着して、海中につるすという方法がとられることもある。しかしこの方法によると、取り入れ時に牡蠣に付着したセメントをハンマー等で叩いて取り外す必要があり手間である。
【００１１】
そこで本考案は、養殖かごやセメント系接着剤を利用する際の上記課題を解決可能であり、簡単に身入りの良い牡蠣を養殖可能な牡蠣養殖用ホルダーを提供することを目的とする。
【課題を解決するための手段】
【００１２】
上記課題を解決する本考案の構成は、以下の通りである。
【００１３】
（１）  請求項１に記載の牡蠣養殖用ホルダーは、弾性を備えた金属製或いは弾性を備えた樹脂製の線材を中央部で折り曲げると共に、該線材の両端部を対向する方向に折り曲げて構成した。
【００１４】
（２）  請求項２に記載の牡蠣養殖用ホルダーは、請求項１記載の考案において、中央部を折り曲げてフック部を形成した。
【００１５】
（３）  請求項３に記載の牡蠣養殖用ホルダーは、弾性を備えた金属製或いは弾性を備えた樹脂製の線材を円弧状に、且つ、両端部が対抗するよう形成した。
【考案の効果】
【００１６】
上記のように構成される本考案が、如何に作用して課題を解決するかを図面を参照しながら概説する。
【００１７】
図２は請求項１に記載の牡蠣養殖用ホルダー１０の使用状態を示す説明図である。牡蠣養殖用ホルダー１０の両端縁で牡蠣１を挟持したうえで、ロープ２に取り付けたフック３に引っ掛けて海中で養殖するものである。
【００１８】
図１１は請求項２に記載の牡蠣養殖用ホルダー２０の使用状態を示す説明図である。牡蠣養殖用ホルダー２０の両端縁で牡蠣１を挟持したうえで、汎用の養殖かご４の網目にフック部２４を引掛け係止している。かかる状態で海中にて養殖を行うものである。
【００１９】
上記の通り本考案によれば、牡蠣を挟持して海中に吊り下げ、養殖を行うものであり、従来例のようにネットの中に入れたり、セメント系接着剤で固定するものではない。すなわち養殖牡蠣がプランクトンを摂取するうえでの妨げもなく、また収穫時に接着剤を剥がすといった作業も不要である。
【００２０】
また、ネットやフックといった対象物に引掛けるという簡単な作業で牡蠣を係止することが可能となるものである。
【００２１】
すなわち、本考案によれば簡単に身入りの良い牡蠣を養殖可能な牡蠣養殖用ホルダーを提供することが可能となるのである。
【図面の簡単な説明】
【００２２】
【図１】請求項１に記載の牡蠣養殖用ホルダーの正面図
【図２】請求項１に記載の牡蠣養殖用ホルダーの使用状態を示す説明図
【図３】請求項２に記載の牡蠣養殖用ホルダーの正面図
【図４】同、背面図
【図５】同、右側面図
【図６】同、左側面図
【図７】同、平面図
【図８】同、底面図
【図９】同、実施状態を示す説明正面図
【図１０】同、実施状態を示す説明右側面図
【図１１】請求項２に記載の牡蠣養殖用ホルダーの使用状態を示す説明図
【図１２】請求項３に記載の牡蠣養殖用ホルダーの正面図
【図１３】請求項３に記載の牡蠣養殖用ホルダーの使用状態を示す説明図
【考案を実施するための形態】
【００２３】
一、   以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。なお、各図におけるＵとは上方を、Ｄは下方を、Ｒは右方向を、Ｌは左方向を意味するものである。
【００２４】
二、  図１に示すように請求項１に記載の牡蠣養殖用ホルダー１０は、線材を中央部１１で折り曲げると共に、該線材の両端部１２，１２を対向する方向に折り曲げて構成してある。
【００２５】
また、該線材の両端縁１３，１３は先端の尖った形状に形成すれば、牡蠣を挟持した際に、牡蠣が牡蠣養殖用ホルダー１０から外れにくくなる。実際の使用時には対象となる牡蠣に小孔を２箇所穿って、該小孔に端縁１３，１３を嵌め込めば、より強固に牡蠣を保持することが可能となる。
【００２６】
また、線材は、弾性を備えた金属製或いは弾性を備えた樹脂製の素材を使用可能である。弾性が要求されるのは、端縁１３,１３をそれぞれ左右方向に押し広げて牡蠣を挟持した際に、元の形状に戻ろうとする力が働き、強固に保持することが可能となるからである。
【００２７】
図２は請求項１記載の牡蠣養殖用ホルダー１０の使用状態を示すものであり、海中に垂下したロープ２に取り付けたフック３に、中央部１１を引っ掛けて実施したものを示している。むろんこれは一例であり、引掛可能なフックを備えた対象物であれば、様々なものに対して、牡蠣養殖用ホルダー１０は取り付け可能である。
【００２８】
三、  図２乃至図８は請求項に記載の牡蠣養殖用ホルダー２０を示すものである。牡蠣養殖用ホルダー２０は、線材を中央部２１で折り曲げると共に、該線材の両端部２２，２２を対向する方向に折り曲げて構成してある。そのうえで中央部２２を折り曲げフック部２４を形成してある。
【００２９】
各図においてフック部２４は円弧状に折り曲げて構成してあるが、むろんこれは一例であり直線状に折り曲げて構成しても構わない。
【００３０】
また、該線材の両端縁２３，２３は先端の尖った形状に形成すれば、牡蠣を挟持した際に、牡蠣が牡蠣養殖用ホルダー２０から外れにくくなる。実際の使用時には対象となる牡蠣に小孔を２箇所穿って、該小孔に端縁２３，２３を嵌め込めば、より強固に牡蠣を保持することが可能となる。
【００３１】
図９及び図１０は牡蠣養殖用ホルダー２０で、牡蠣１を挟持した状態を示している。端縁２３,２３を左右方向に押し広げて牡蠣を挟持して保持するものである。この際、線材は、弾性を備えた金属製或いは弾性を備えた樹脂製の素材を使用していることから、元の形状に戻ろうとする力が働き、強固に牡蠣１を保持することが可能となるものである。
【００３２】
図１１は、汎用の養殖かご４の網目にフック部２４を引掛け牡蠣養殖用ホルダー２０を係止している。むろんこれは一例であり、例えばネットを海中に沈め、該ネットにフック部２４を引っ掛けてもよいし、その他フック部２４を引っ掛けることが可能な対象物であれば様々なものに対して、牡蠣養殖用ホルダー２０は取り付け可能である。
【００３３】
四、  図１２に示すように請求項３に記載の牡蠣養殖用ホルダー３０は、線材を円弧状に、且つ、両端部３１が対抗するよう形成してある。
【００３４】
また、該線材の両端縁３２，３２は先端の尖った形状に形成すれば、牡蠣を挟持した際に、牡蠣が牡蠣養殖用ホルダー３０から外れにくくなる。実際の使用時には対象となる牡蠣に小孔を２箇所穿って、該小孔に端縁３２，３２を嵌め込めば、より強固に牡蠣を保持することが可能となる。
【００３５】
また、線材は、弾性を備えた金属製或いは弾性を備えた樹脂製の素材を使用可能である。弾性が要求されるのは、端縁３２,３２をそれぞれ左右方向に押し広げて牡蠣を挟持した際に、元の形状に戻ろうとする力が働き、強固に保持することが可能となるからである。
【００３６】
図１３は請求項３記載の牡蠣養殖用ホルダー３０の使用状態を示すものであり、海中に垂下したロープ２に取り付けたフック３に、牡蠣養殖用ホルダー３０を引っ掛けて実施したものを示している。むろんこれは一例であり、引掛可能なフックを備えた対象物であれば、様々なものに対して、牡蠣養殖用ホルダー３０は取り付け可能である。
【符号の説明】
【００３７】
１０・・牡蠣養殖用ホルダー
１１・・中央部
１２・・端部
１３・・端縁
２０・・牡蠣養殖用ホルダー
２１・・中央部
２２・・端部
２３・・端縁
２４・・フック部
３０・・牡蠣養殖用ホルダー
３１・・端部
３２・・端縁
【図１】
0003227019.tif 000003
【図２】
0003227019.tif 000004
【図３】
0003227019.tif 000005
【図４】
0003227019.tif 000006
【図５】
0003227019.tif 000007
【図６】
0003227019.tif 000008
【図７】
0003227019.tif 000009
【図８】
0003227019.tif 000010
【図９】
0003227019.tif 000011
【図１０】
0003227019.tif 000012
【図１１】
0003227019.tif 000013
【図１２】
0003227019.tif 000014
【図１３】
0003227019.tif 000015
【手続補正書】
【提出日】令和2年4月7日(2020.4.7)
【手続補正１】
【補正対象書類名】実用新案登録請求の範囲
【補正対象項目名】全文
【補正方法】変更
【補正の内容】
【実用新案登録請求の範囲】
【請求項１】
弾性を備えた金属製或いは弾性を備えた樹脂製の線材を中央部で折り曲げたこと、
該線材の両端部を対向する方向に折り曲げたこと、
を特徴とする牡蠣養殖用ホルダー。
【請求項２】
中央部を折り曲げてフック部を形成した請求項１に記載の牡蠣養殖用ホルダー。
【請求項３】
弾性を備えた金属製或いは弾性を備えた樹脂製の線材を円弧状に、且つ、両端部が対向
するよう形成した牡蠣養殖用ホルダー。
【手続補正２】
【補正対象書類名】明細書
【補正対象項目名】００１５
【補正方法】変更
【補正の内容】
【００１５】
（３） 請求項３に記載の牡蠣養殖用ホルダーは、弾性を備えた金属製或いは弾性を備えた樹脂製の線材を円弧状に、且つ、両端部が対向するよう形成した。
【手続補正３】
【補正対象書類名】明細書
【補正対象項目名】００２８
【補正方法】変更
【補正の内容】
【００２８】
三、図２乃至図８は請求項２に記載の牡蠣養殖用ホルダー２０を示すものである。牡蠣養殖用ホルダー２０は、線材を中央部２１で折り曲げると共に、該線材の両端部２２，２２を対向する方向に折り曲げて構成してある。そのうえで中央部２２を折り曲げフック部２４を形成してある。
【手続補正４】
【補正対象書類名】明細書
【補正対象項目名】００３３
【補正方法】変更
【補正の内容】
【００３３】
四、図１２に示すように請求項３に記載の牡蠣養殖用ホルダー３０は、線材を円弧状に、且つ、両端部３１が対向するよう形成してある。